(57)【要約】【課題】不注意や誤って指等をハサミに挟んだ場合であっても、負傷を負う危険性が少なく、ハサミが閉じられた場合に一定の力で把持部を開かないと刃部が開かない安全性の高い安全ハサミを提供すること。【解決手段】把持部と切断部とを有する一対のハサミ構成部材と、上記一対のハサミ構成部材を回動可能に軸支する支軸部とを有する安全ハサミであって、上記切断部は、夫々、カバー部と、上記カバー部の裏面側に設けられ、横断面Ｌ字状に形成された細長板状の刃部とを備え、上記刃部は、上記カバー部に固定される基部と、上記基部の幅方向内端部から立設された刃体とを有し、上記一対の刃体の幅方向先端部は、回動方向に対して傾斜する傾斜面部により形成され、切断する際には、上記一対の傾斜面部の先端縁が互いに摺接し、上記切断部が閉じられた場合には、上記刃体の長さ方向先端部において上記一対の傾斜面部が互いに係合する。【選択図】図２
0003140436.tif 000002
【実用新案登録請求の範囲】
【請求項１】
把持部と切断部とを有する一対のハサミ構成部材と、上記一対のハサミ構成部材を回動可能に軸支する支軸部とを有する安全ハサミであって、
上記切断部は、夫々、カバー部と、上記カバー部の裏面側に設けられ、横断面Ｌ字状に形成された細長板状の刃部とを備え、
上記刃部は、上記カバー部に固定される基部と、上記基部の幅方向内端部から立設された刃体とを有し、
上記一対の刃体の幅方向先端部は、回動方向に対して傾斜する傾斜面部により形成され、
切断する際には、上記一対の傾斜面部の先端縁が互いに摺接し、上記切断部が閉じられた場合には、上記刃体の長さ方向先端部において上記一対の傾斜面部が互いに係合することを特徴とする安全ハサミ。
【請求項２】
上記刃体の傾斜面部は、上記刃体の長さ方向に沿って全域に設けられていることを特徴とする請求項１記載の安全ハサミ。
【請求項３】
上記一対の刃体の傾斜面部は、上記刃体の厚さ方向に沿って互いに同一の傾斜角に形成されていることを特徴とする請求項１又は２記載の安全ハサミ。
【請求項４】
上記カバー部は、上記刃部の外表面と長さ方向先端部を被覆し、上記把持部とカバー部とが樹脂材料で形成されていることを特徴とする請求項１〜３のいずれか１項に記載の安全ハサミ。
【考案の詳細な説明】
【技術分野】
【０００１】
本考案は、安全ハサミに係り、特に誤って指等を挟んだ場合であっても指等を負傷する可能性が少なく、ハサミが閉じられた場合にハサミの閉じた状態を保持しうる安全性の高い安全ハサミに関する。
【背景技術】
【０００２】
一般に、例えば、紙や糸等を切る場合には、ハサミが用いられている。
従来、このようなハサミを使用する場合には、ハサミは互いに対向する鋭利な刃部を交差させることにより紙等を切断していることから、不注意や誤って指等を挟んだ場合には、指等を負傷する可能性を有する。
また、子供がハサミを使用する場合には、誤って指等をハサミに挟んで、指等を負傷する可能性が高くなる。
従って、このように不注意や誤って指等がハサミに挟まれた場合であっても、負傷を負う危険性の少ない安全性の高いハサミが要望されている。
また、ハサミが閉じられた場合には、一定の力で把持部を開かないと刃部が開かないように構成されていない場合には、極めて小さな力により簡単に刃部が開き、ハサミの鋭利な刃部が露出され、ハサミの鋭利な刃部に触れて負傷を負う危険性がある。
【考案の開示】
【考案が解決しようとする課題】
【０００３】
本考案は、不注意や誤って指等をハサミに挟んだ場合であっても、負傷を負う危険性が少なく、ハサミが閉じられた場合に一定の力で把持部を開かないと刃部が開かない安全性の高い安全ハサミを提供することにある。
【課題を解決するための手段】
【０００４】
上記課題を解決するために、請求項１記載の考案にあっては、把持部と切断部とを有する一対のハサミ構成部材と、上記一対のハサミ構成部材を回動可能に軸支する支軸部とを有する安全ハサミであって、上記切断部は、夫々、カバー部と、上記カバー部の裏面側に設けられ、横断面Ｌ字状に形成された細長板状の刃部とを備え、上記刃部は、上記カバー部に固定される基部と、上記基部の幅方向内端部から立設された刃体とを有し、上記一対の刃体の幅方向先端部は、回動方向に対して傾斜する傾斜面部により形成され、切断する際には、上記一対の傾斜面部の先端縁が互いに摺接し、上記切断部が閉じられた場合には、上記刃体の長さ方向先端部において上記一対の傾斜面部が互いに係合することを特徴とする。
従って、把持部と切断部とを有する一対のハサミ構成部材と、上記一対のハサミ構成部材を回動可能に軸支する支軸部とを有する安全ハサミであって、上記切断部は、夫々、カバー部と、上記カバー部の裏面側に設けられ、横断面Ｌ字状に形成された細長板状の刃部とを備え、上記刃部は、上記カバー部に固定される基部と、上記基部の幅方向内端部から立設された刃体とを有し、上記一対の刃体の幅方向先端部は、回動方向に対して傾斜する傾斜面部により形成され、被切断物を切断する際には、上記一対の傾斜面部の先端縁が互いに摺接するので、不注意や誤って指等を刃体に挟んでしまった場合であっても、横断面Ｌ字状に形成された細長板状の刃部の基部の幅方向内端部から立設された刃体に、夫々、指等が当接して、上記刃体の傾斜面部の先端縁には指等は触れ難く、指等の負傷を負う危険性は少ない。
また、上記切断部が閉じられた場合には、上記刃体の長さ方向先端部において上記一対の傾斜面部が互いに係合して上記一対のハサミ構成部材が互いに閉じた状態を保持するので、上記ハサミが閉じられた場合に一定の力で把持部を開かないと刃体は開かない。
【０００５】
請求項２記載の考案にあっては、上記刃体の傾斜面部は、上記刃体の長さ方向に沿って全域に設けられていることを特徴とする。
従って、上記刃体の傾斜面部は、上記刃体の長さ方向に沿って全域に設けられているので、被切断物を切断する際には、上記刃体の長さ方向に沿って全域に設けられた上記一対の傾斜面部の先端縁が互いに摺接する。
また、上記切断部を閉じた状態から開いた状態に移行する場合には、上記刃体の長さ方向先端部において一対の傾斜面部が互いに係合している状態から傾斜面部の先端縁が互いに摺接する状態に移行する必要があるので、一定の力で把持部を開かないと刃体は開かない。
【０００６】
請求項３記載の考案にあっては、上記一対の刃体の傾斜面部は、上記刃体の厚さ方向に沿って互いに同一の傾斜角に形成されていることを特徴とする。
従って、上記切断部が閉じられた場合には、上記刃体の長さ方向先端部において上記一対の傾斜面部が互いに同一の傾斜角により係合して上記一対のハサミ構成部材が互いに閉じた状態を保持する。
【０００７】
請求項４記載の考案にあっては、上記カバー部は、上記刃部の外表面と長さ方向先端部を被覆し、上記把持部とカバー部とが樹脂材料で形成されていることを特徴とする。
従って、上記カバー部は、上記刃部の外表面と長さ方向先端部を被覆し、上記把持部とカバー部とが樹脂材料で形成されているので、上記刃体の幅方向先端部に形成された傾斜面部の鋭利な先端縁に指等が触れ難い。
【考案の効果】
【０００８】
請求項１記載の考案にあっては、被切断物を切断する際に、不注意や誤って厚さ方向寸法の大きい指等を一対の刃体の間に挟んだ場合であっても、横断面Ｌ字状に形成された刃部の基部の幅方向内端部から立設された刃体に、夫々、指等が当接して、上記刃体の傾斜面部の先端縁は指等が挟み込まれた部位においては摺接しないので、指等の負傷を負う危険性が少ない安全性の高い安全ハサミを提供することができる。
また、上記切断部が閉じられた場合には、上記刃体の長さ方向先端部において上記一対の傾斜面部が互いに係合して上記一対のハサミ構成部材が互いに閉じた状態を保持するので、上記ハサミが閉じられた場合に一定の力で把持部を開かないと刃体が開かない安全性の高い安全ハサミを提供することができる。
【０００９】
請求項２記載の考案にあっては、上記刃体の傾斜面部は、上記刃体の長さ方向に沿って全域に設けられているので、紙等の厚さ寸法の小さい被切断物を切断する際には、上記刃体の長さ方向に沿って全域に設けられた上記一対の傾斜面部の先端縁が互いに摺接して紙等を容易に切断することができる。
また、上記切断部を閉じた状態から開いた状態に移行させる場合には、上記刃体の長さ方向先端部において一対の傾斜面部が互いに係合している状態から傾斜面部の先端縁が互いに摺接する状態に移行させる必要があるので、ハサミが閉じられた状態から一定の力で把持部を開かないと刃体が開かない安全性の高い安全ハサミを提供することができる。
【００１０】
請求項３記載の考案にあっては、上記切断部が閉じられた場合には、上記刃体の長さ方向先端部において上記一対の傾斜面部が互いに同一の傾斜角が当接するように係合して上記一対のハサミ構成部材が互いに閉じた状態を保持するので、安定した状態で上記一対のハサミ構成部材が互いに閉じた状態を保持し、上記ハサミが閉じられた場合に一定の力で把持部を開かないと刃体が開かない、より安全性の高い安全ハサミを提供することができる。
【００１１】
請求項４記載の考案にあっては、上記カバー部は、上記刃部の外表面と長さ方向先端部を被覆しているので、上記刃体の幅方向先端部に形成された傾斜面部の鋭利な先端縁に指等が触れ難い安全性の高い安全ハサミを提供することができる。
また、上記把持部とカバー部とが樹脂材料で形成されているので、より安全性の高い安全ハサミを提供することができる。
【考案を実施するための最良の形態】
【００１２】
以下、図面を用いて本考案の実施の形態について説明する。
図１に示すように、本実施の形態に係る安全ハサミ１０は、把持部１１，１２と切断部１３，１４とを有する一対のハサミ構成部材１５，１６と、上記一対のハサミ構成部材１５，１６を回動可能に軸支する支軸部１７とを有する安全ハサミ１０であって、上記切断部１３，１４は、夫々、カバー部１８，１９と、上記カバー部１８，１９の裏面側に設けられ、横断面Ｌ字状に形成された細長板状の刃部２０，２１とを備え、上記刃部２０，２１は、上記カバー部１８，１９に固定される基部２２，２３と、上記基部２２，２３の幅方向内端部から立設された刃体２４，２５とを有し、上記一対の刃体２４，２５の幅方向先端部は、図３（ａ）に示すように、回動方向Ｅに対して傾斜する傾斜面部２６，２７により形成され、切断する際には、上記一対の傾斜面部２６，２７の先端縁３２，３３が互いに摺接し、上記切断部１３，１４が閉じられた場合には、図２に示すように、上記刃体２４，２５の長さ方向先端部２８，２９において、図４に示すように、上記一対の傾斜面部２６，２７が互いに係合するように構成されている。
また、図１に示すように、上記刃体２４，２５の傾斜面部２６，２７は、上記刃体２４，２５の長さ方向に沿って全域に設けられている。
また、図３（ａ）〜（ｃ）に示すように、上記一対の刃体２４，２５の傾斜面部２６，２７は、上記刃体２４，２５の厚さ方向に沿って互いに同一の傾斜角αに形成されている。
また、図１に示すような上記カバー部１８，１９は、上記刃部２０，２１の外表面と長さ方向先端部２８，２９を被覆し、上記把持部１１，１２とカバー部１８，１９とが樹脂材料で形成されている。
【実施例】
【００１３】
以下に、図面を用いて本実施例について詳細を説明する。
図１に示すように、本実施例に係る安全ハサミ１０は、把持部１１，１２と切断部１３，１４とを有する一対のハサミ構成部材１５，１６と、上記一対のハサミ構成部材１５，１６を回動可能に軸支する支軸部１７とを有している。
また、一対のハサミ構成部材１５，１６における上記把持部１１，１２は、合成樹脂材料としてのプラスチック素材により一体形成され、柄部４１，４２と上記柄部４１，４２の先端部側に連設された取付片部４３，４４とを有している。
また、上記柄部４１，４２は、複数本の指を挿通しうる角部が丸みを帯びた略三角環状に形成された指通し孔部３０，３１を有し、上記取付片部４３，４４は、細長板状に形成されている。
【００１４】
また、図１に示すように、一対のハサミ構成部材１５，１６における上記切断部１３，１４は、夫々、カバー部１８，１９と、上記カバー部１８，１９の裏面側に設けられた横断面Ｌ字状に形成された細長板状の刃部２０，２１とを備えている。  
また、図３（ａ）及び（ｂ）に示すように、上記切断部１３，１４におけるカバー部１８，１９は、合成樹脂材料としてのプラスチック素材により形成され、幅方向外端部には長さ方向に沿って裏面側に突状部３７，３８が形成されると共に長さ方向先端部には、図１及び図３（ｃ）に示すように、先端外側面に曲面を有する凸部３９，４０が形成されている。
また、上記カバー部１８，１９は、細長板状に形成されると共に先端部方向に幅方向寸法が小さくなる丸みを帯びたテーパ状に形成され、幅方向内端部には長さ方向の略中央部から先端部に亘って直線状の切り欠き部４５，４６が形成されている。
また、図１に示すように、上記刃部２０，２１は、ステンレス素材により形成され、上記カバー部１８，１９に固定される細長平板状の基部２２，２３と、上記基部２２，２３の幅方向内端部から直角に立設された細長平板状の刃体２４，２５とを有している。
また、上記基部２２，２３は、上記カバー部１８，１９の裏面側に固定され、上記基部２２，２３の幅方向内端部が上記カバー部１８，１９に形成された上記切り欠き部４５，４６に沿うように配置されると共に、上記基部２２，２３の幅方向外端部が幅方向外端部に形成された上記突状部３７，３８の内端面に沿うように配置されている。
また、上記刃部２０，２１の長さ方向先端部２８，２９の裏面側は、上記カバー部１８，１９の長さ方向先端部に形成された凸部３９，４０により被覆され、上記刃部２０，２１の長さ方向先端部２８，２９の先端縁は、上記凸部３９，４０の先端縁と略同一面になるように配置されている。
【００１５】
また、図１に示すように、上記一対のハサミ構成部材１５，１６は、上記一対のハサミ構成部材１５，１６の長さ方向略中央の位置において、上記支軸部１７により回動可能に軸支されている。
また、上記取付片部４３，４４の先端には、上記支軸部１７を軸支しうる支軸孔（図示せず）が設けられ、上記一対の切断部１３，１４の長さ方向略中央からやや後端部側には上記支軸部１７を軸支しうる支軸孔（図示せず）設けられている。
また、上記取付片部４３，４４は、上記切断部１３，１４の略同一の幅寸法により形成されると共に上記切断部１３，１４の半分の長さ寸法より、やや長く形成され、上記切断部１３，１４の内面側の後端部側に配置されている。
【００１６】
また、図１に示すように、上記支軸部１７は、合成樹脂材料としてのプラスチック素材により形成され、頭部３５と軸部３６とを有している。
また、上記一対のハサミ構成部材１５，１６は、上記一対の取付片部４３，４４の支軸孔（図示せず）と上記一対の切断部１３，１４の支軸孔（図示せず）に上記軸部３６を貫通させ、上記一対のハサミ構成部材１５，１６の夫々の外表面部において夫々の上記頭部３５で係止することにより、上記一対のハサミ構成部材１５，１６の夫々を密着するように配置して、上記支軸部１７により回動可能に軸支されている。
【００１７】
また、図１に示すように、上記基部２２，２３には、長さ方向後端部に取り付け孔４７，４８と先端部に取り付け孔４９，５０が形成されている。
また、上記基部２２，２３は、固定片部５１，５２により上記取り付け孔４７，４８を介して上記カバー部１８，１９の裏面側に固定され、固定片部５３，５４により上記取り付け孔４９，５０を介して上記カバー部１８，１９の裏面側に固定されている。
また、図１に示すように、上記刃体２４，２５は、上記切り欠き部４５，４６の長さ方向に沿うように上記基部２２，２３の幅方向内端部から立設され、図３（ａ）〜（ｃ）に示すように、回動方向Ｅに対して直角な一対の当接面５５，５６を上記刃体２４，２５の長さ方向に沿って全域に有している。
【００１８】
また、傾斜面部２６，２７は、図１に示すように、上記刃体２４，２５の長さ方向に沿って全域に設けられ、上記一対の刃体２４，２５の幅方向先端部は、図３（ａ）に示すように、回動方向Ｅに対して同一の傾斜角αにより斜めに切削されて形成されている。
また、傾斜面部２６，２７は、図３（ａ）に示すように、紙等の厚さ寸法の小さい被切断物を切断する際には、上記一対の傾斜面部２６，２７の先端縁３２，３３が互いに摺接して、図１に示すように、把持部１１，１２の回動操作に伴って、上記先端縁３２，３３が互いに摺接する摺接部Ｆを後端部側から先端部側に移動させることによって切断するように構成されている。
【００１９】
また、上記切断部１３，１４が閉じられた場合には、図２及び図４に示すように、上記刃体２４，２５の長さ方向先端部２８，２９において、上記一対の傾斜面部２６，２７が互いに係合するように構成されている。
この場合、図４に示すように、上記傾斜面部２６，２７は、回動方向Ｅに対して同一の傾斜角αを有し、上記刃体２４，２５の厚さ方向内端部から外端部に傾斜するように形成され、また、図２に示すように、上記一対のハサミ構成部材１５，１６は、上記刃体２４，２５の長さ方向先端部２８，２９における上記一対の傾斜面部２６，２７の係合のみにより互いに閉じた状態を保持するように構成されている。
【００２０】
また、把持部１１，１２の操作により、図４に示すような上記切断部１３，１４を閉じた状態から図３（ｃ）に示すような開いた状態に移行させる場合において、回動方向Ｅに対しての上記傾斜角αが０度に近づく程、図４に示すような係合状態から、極めて小さな力により図３（ｃ）に示すような開放状態に簡単に移行し易く、回動方向Ｅに対しての上記傾斜角αが９０度に近づく程、上記一対の傾斜面部２６，２７の先端縁３２，３３が互いに乗り上げ難くなることから極めて大きな力でなければ図３（ｃ）に示すような開放状態への移行が難しい。
従って、上記一対の傾斜面部２６，２７の上記傾斜角αは、一定の力で把持部１１，１２を開かないと刃体２４，２５は開かないように形成されていると共に、一定の力で把持部１１，１２を開いた場合には刃体２４，２５が開くように形成されている。
例えば、本実施例の場合、図３（ａ）に示すように、上記傾斜角αは略２５度に形成されている。
【００２１】
以下、本実施例の作用について説明する。
紙等の厚さ寸法の小さい被切断物を切断する場合には、先ず、図２に示すように、刃体２４，２５の長さ方向先端部２８，２９において、一対の傾斜面部２６，２７が互いに係合して閉じている状態において、ハサミ構成部材１５，１６の指通し孔部３０，３１に指を挿通させてから、一対の傾斜面部２６，２７の係合状態を解除して一対のハサミ構成部材１５，１６を開くように把持部１１，１２を回動操作する。
この場合、図４に示すように、上記一対の傾斜面部２６，２７は、刃体２４，２５の厚さ方向内端部から外端部に傾斜する傾斜する回動方向Ｅに対して傾斜角αを有して互いに係合していることから、一定の力で把持部１１，１２を開かないと刃体２４，２５は開かない。
そして、一定の力で把持部１１，１２を操作することにより、上記刃体２４，２５の長さ方向先端部２８，２９において係合している一対の傾斜面部２６，２７の係合状態を解除して、図３（ａ）に示すように、上記一対の傾斜面部２６，２７の先端縁３２，３３を互いに乗り上げさせて摺接するように移行させてから、先端縁３２，３３が互いに摺接する摺接部Ｆを上記ハサミ構成部材１５，１６先端部側から後端部側に摺動させながら、上記刃体２４，２５を開いていく。
このように、一定の力で把持部１１，１２を開かないと刃体２４，２５が開かないため、安全性の高い安全ハサミ１０を提供することができる。
【００２２】
そして、紙等の厚さ寸法の小さい被切断物を切断する際には、図３（ａ）に示すように、上記ハサミ構成部材１３，１４の回動方向Ｅに対して直角であって、上記一対の刃体２４，２５に沿うように紙等を配置した後に、上記把持部１１，１２の操作により、摺接部Ｆを上記ハサミ構成部材１５，１６の後端部側から先端部側に摺動させる。
この場合、上記一対の刃体２４，２５の長さ方向に沿って、図３（ａ）に示すような一対の傾斜面部２６，２７の先端縁３２，３３が互いに摺接部Ｆにおいて摺接しながら刃体２４，２５の先端側へ移動することから、紙等の厚さ寸法の小さい被切断物を容易に切断することができる。
【００２３】
また、このように紙等を切断する際に、仮に、不注意や誤って指等を一対の刃体２４，２５の間に挟んだ場合であっても、指等は厚さ寸法が大きいことから、図３（ａ）に示すような摺接部Ｆが指等を挟み込む前に、図３（ｂ）に示すような刃体２４，２５の当接面５５，５６が指等に当接して、上記刃体２４，２５の先端縁３２，３３は指等が挟み込まれた部位においては摺接しないので、厚さ寸法は大きい指等が上記摺接部Ｆに挟み込まれることにより負傷を負う危険性は少ない。
【００２４】
また、被切断物を切断した後に、図２に示すように、上記切断部１３，１４を閉じた状態で固定する場合には、上記刃体２４，２５の長さ方向先端部２８，２９は、図４に示すように、上記刃体２４，２５の厚さ方向内端部から外端部に傾斜する同一の傾斜角αを有しているので、上記切断部１５，１６が閉じられた場合には、図３（ａ）に示すような上記刃体２４，２５の先端縁３２，３３が互いに摺接している状態から上記刃体２４，２５の長さ方向先端部２８，２９において一対の傾斜面部２６，２７が互いに係合する状態に移行し易く、安全ハサミ１０の切断部１３，１４を容易に閉じることができる。
また、安全ハサミ１０の切断部１３，１４を閉じた後においては、上記刃体２４，２５の長さ方向先端部において上記一対の傾斜面部２６，２７が互いに同一の傾斜角αが当接するように係合して上記一対のハサミ構成部材１５，１６が互いに閉じた状態を保持するので、安定した状態で上記一対のハサミ構成部材１５，１６の閉じた状態を保持できる。
また、一定の力で把持部１１，１２を操作しなければ、一対の傾斜面部２６，２７の係合状態を解除できないことから、一定の力で把持部１１，１２を開かないと刃体２４，２５が開かない、より安全性の高い安全ハサミ１０を提供することができる。
【００２５】
また、図１及び図２に示すように、本考案に係る安全ハサミ１０のカバー部１８，１９は、基部２２，２３の表面を被覆すると共に幅方向外端部を突状部３７，３８により被覆し、上記刃体２４，２５は、切り欠き部４５，４６に沿って上記カバー部１８，１９の裏面側に固定されているので、上記刃体２４，２５の幅方向先端部に形成されている一対の傾斜面部２６，２７の鋭利な先端縁３２，３３は、外部からは触れ難く、負傷を負う危険性が少ない安全性の高い安全ハサミ１０を提供することができる。
また、上記カバー部１８，１９の先端部は、外側面に曲面を有する凸部３９，４０が形成されているので、鋭利な刃体２４，２５の幅方向先端縁３２，３３を外部から触れ難く、不注意や誤って先端部前方へ上記安全ハサミ１０を突き出してしまった場合においても、負傷を負う危険性が少ない安全性の高い安全ハサミ１０を提供することができる。
また、本考案に係る安全ハサミ１０は、刃部２０，２１以外の構成要素である、把持部１１，１２、カバー部１８，１９、及び支軸部１７がプラスチック素材により形成されると共に夫々の端部は丸みを帯びて形成されているため、より安全性の高い安全ハサミ１０を提供することができる。
【産業上の利用可能性】
【００２６】
本考案は、広く安全ハサミに係り、ハサミが閉じられた場合に一定の力で把持部を開かないと刃部が開かない安全性の高い安全ハサミに適用することができる。
【図面の簡単な説明】
【００２７】
【図１】本考案に係る安全ハサミの切断部を開いた状態の一実施の形態を示す斜視図である。
【図２】本考案に係る安全ハサミの切断部を閉じた状態の一実施の形態を示す斜視図である。
【図３】（ａ）は図１のＡ−Ａ線間断面図、（ｂ）は図１のＢ−Ｂ線間断面図、（ｃ）は図１のＣ−Ｃ線間断面図である。
【図４】図２のＤ−Ｄ線間断面図である。
【符号の説明】
【００２８】
１０  安全ハサミ
１１  把持部
１２  把持部
１３  切断部
１４  切断部
１５  ハサミ構成部材
１６  ハサミ構成部材
１７  支軸部
１８  カバー部
１９  カバー部
２０  刃部
２１  刃部
２２  基部
２３  基部
２４  刃体
２５  刃体
２６  傾斜面部
２７  傾斜面部
２８  上記刃体の長さ方向先端部
２９  上記刃体の長さ方向先端部
３０  指通し孔部
３１  指通し孔部
３２  傾斜面部の先端縁
３３  傾斜面部の先端縁
３５  頭部
３６  軸部
３７  突状部
３８  突状部
３９  凸部
４０  凸部
４１  柄部
４２  柄部
４３  取付片部
４４  取付片部
４５  切り欠き部
４６  切り欠き部
４７  取り付け孔
４８  取り付け孔
４９  取り付け孔
５０  取り付け孔
５１  固定片部
５２  固定片部
５３  固定片部
５４  固定片部
５５  当接面
５６  当接面
Ｅ    一対のハサミ構成部材の回動方向
Ｆ    摺接部
α    傾斜角
【図１】
0003140436.tif 000003
【図２】
0003140436.tif 000004
【図３】
0003140436.tif 000005
【図４】
0003140436.tif 000006